(57)【要約】  ユニバーサルｄコマース取引トレーディングシステムは、イントラネット又はインターネットのようなネットワークを経てクライアントコンピュータのグローバルネットワークに接続された独特に構成されたコンピュータサーバーを備えていて、ダイナミックプライシングシステムを使用する基本的な複雑な多変動要素商品のための電子トレーディングシステムを形成する。【特許請求の範囲】
【請求項１】
イントラネット又はインターネットのようなネットワークを経てクライアントコンピュータのグローバルネットワークに接続されたユニークな構成を有するコンピュータサーバーを備えていて、ダイナミックプライシングシステムを使用する基本的な複雑な多変動要素商品のための電子トレーディングシステムを形成するユニバーサルｄコマース取引トレーディングシステム。
【請求項２】
無限変動要素製品オーダーコンフィギュレーション装置とユニークに一体化されたダイナミックプライシングシステムを含む、請求項１に記載のユニバーサルｄコマース取引トレーディングシステム。
【請求項３】
ダイナミック製品コンポーネントセレクタ及び除去装置を含む、請求項２に記載の無限変動要素製品オーダーコンフィギュレーション装置。
【請求項４】
複雑な多変動要素製品オーダーから多数のコンポーネントパーツをダイナミックに選択し及び除去する方法を備えた、請求項３に記載のダイナミック製品コンポーネントセレクタ及び除去装置。
【請求項５】
別の製品モデルグループ又はラインのアイテムがオーダーに追加されるか又はそこから削除されるときに電子オーダーフォームを垂直方向及び横方向の両方に自動的に拡張及び収縮する方法を備えた、請求項３に記載のダイナミック製品コンポーネントセレクタ及び除去装置。
【請求項６】
ダイナミックコンポーネントプライシング同期メカニズムを備えた、請求項２に記載のダイナミックプライシングシステム。
【請求項７】
入手できる全てのアイテムの価格を互いに完全に一斉に且つ等しい比率で自動的に更新し、全オーダーアッセンブリに対する現在の付け値又は売り値に基づいて増分的に増加又は減少する方法を備えた、請求項６に記載のダイナミックコンポーネントプライシング同期メカニズム。
【請求項８】
ダイナミックオーダーブックビューアシステムを伴う永久的付け値／売り値マッチングエンジン、及び価値及び組成が連続的に変化し得る同様のアイテム又は製品グループに対して多数のオーダーを整合し、評価しそしてランク付けするための方法。
【請求項９】
トレーダーがリストされたオーダーを開いて、再検討し、又は受け入れ、或いは変更して新たなオーダーとして再保存し、オリジナルオーダーはそのまま残すための方法を備えた、請求項８に記載のダイナミックオーダーブックビューアシステムを伴う永久的付け値／売り値マッチングエンジン。
【請求項１０】
クライアントが、電子サーチエンジンシステムを使用してそれらの要求にマッチングするオーダーをサーチするための方法を備えた、請求項１から９のいずれかに記載の永久的付け値／売り値マッチングエンジン及びダイナミックオーダーブックビューアシステム。
【請求項１１】
各応答者が、受け取った売り値に回答又は逆入札するためにクライアントとして登録しなければならないことを基礎として、ユーザの自然で且つ指数関数的な成長を生み出し、ひいては、登録されるクライアントの急速に加速する成長を生み出すための新規な方法を備えた、請求項１から１０のいずれかに記載の永久的付け値／売り値マッチングエンジン及びダイナミックオーダーブックビューアシステム。
【請求項１２】
製品コスト情報と共に基本的スタート価格を設定し、サイトアドミニストレータ又は売り手が、現在の付け値に対して各オーダーの連続的に更新される利益及び損失ステートメントを見ることができるようにする方法を更に備えた、請求項１から１１のいずれかに記載のユニバーサルｄコマース取引トレーディングシステム。
【請求項１３】
選択されて含まれたコンポーネントパーツのいずれか１つに指定される最新のデータに基づいて各製品アッセンブリグループに対する推定納入日付を更新して自動的に保存する方法を更に備えた、請求項１から１２のいずれかに記載のユニバーサルｄコマース取引トレーディングシステム。
【請求項１４】
保留トランザクションに対する支払い及び保証金を安全に処理するための完全に一体化されたエスクローサービス（段落番号２５で定義された）を更に備えた、請求項１から１３のいずれかに記載のユニバーサルｄコマース取引。
【請求項１５】
登録されたトレーダーのためのセキュリティ保証金口座を維持する方法を備えた、請求項１４に記載の完全に一体化されたエスクローサービス。
【請求項１６】
当該トレーダーが参加者である保留中販売の推定される終値の所定のパーセンテージに等しい保証金をエスクローに電子資金移動（ＥＦＴ）することにより、自動的に予約、課金、クリア及び受け取りするための方法を更に備えた、請求項１から１５のいずれかに記載の完全に一体化されたエスクローサービス。
【請求項１７】
余剰保証金資金の差引残高を算出してそれを、登録されたトレーダーの銀行口座へ自動的に払い戻す方法を備えた、請求項１から１６のいずれかに記載の完全に一体化されたエスクローサービス。
【請求項１８】
登録されたトレーダーが購入を確認したときに、買い手の保証金口座から中立のエスクロートランザクション口座へ必要な手付金を自動的に転送するための方法を備えた、請求項１から１７のいずれかに記載の完全に一体化されたエスクローサービス。
【請求項１９】
合意した特定の期間に基づいて将来の日付又はそれ以前に購入又は販売を完了させる権利を生成する「コール」又は「プット」オプションを買い手又は買い手の譲受人が取得、保持及び取引する方法を備えた、請求項１から１８のいずれかに記載のユニバーサルｄコマース取引。
【請求項２０】
登録されたトレーダーの手付金又は保証金を、必要なオプションプレミアム支払いに変換できる方法を更に備えた、請求項１９に記載の「コール」又は「プット」オプション。
【請求項２１】
請求項８以降に記載の永久的付け値／売り値マッチングエンジンと逆に電子オークション方法を使用してトランザクションを実行する別の方法を更に備えた、請求項１から２０のいずれかに記載のユニバーサルｄコマース取引トレーディングシステム。
【請求項２２】
合計オーダーロットに対する最も高い（逆即ち減少価格オークションの別形式の用途では、「最も高い」という語が、「最も低い」という語に置き換えられる）全体的付け値に関わりなく、オーダーロットに含まれた束ねられたアイテムの１つに対する最も高い付け値に基づいて勝者を決定してランク付けする方法を備えた、請求項２１に記載の電子オークション方法。
【請求項２３】
オークションプロセス中に追加されるオプションコンポーネントに対して考慮せずに基本的ロットの最も高い付け値に基づいて勝者を決定してランク付けする方法を備えた、請求項１から２２のいずれかに記載の電子オークション方法。
【請求項２４】
第１の付け値を受け取ったときだけカウントダウンされるオークション期間をスタートする方法を備えた、請求項１から２３のいずれかに記載の電子オークション方法。
【請求項２５】
第２の即ち競合する付け値を受け取ったときだけカウントダウンされるオークション期間をスタートする方法を備えた、請求項１から２４のいずれかに記載の電子オークション方法。
【請求項２６】
有効なルールに基づきオークションのカウントダウンを公式にスタートする前にいつでもオークション入札者が付け値をキャンセルしてオークションから撤退できるようにする方法を備えた、請求項１から２５のいずれかに記載の電子オークション方法。
【請求項２７】
所定の最終期間（例えば、最後の１時間）中に、オークションのクローズ時間を、入札行動のレベルに基づいて自動的に且つ繰り返し僅かに延長又は短縮することができ、且つこの最終期間中に、クローズ時間が先導する立場の入札者のみにいつでも見えるようにする方法を備えた、請求項１から２６のいずれかに記載の電子オークション方法。
【請求項２８】
入札者がいつでも入札プロセスから撤退して、そのオーダーロット選択を現在の最も高い付け値より高い割り当てられた固定パーセンテージプレミアムで自動的に計算された価格で直ちに買えるようにする方法を備えた、請求項１から２７のいずれかに記載の電子オークション方法。
【発明の詳細な説明】
【技術分野】
【０００１】
本発明は、新規なコンピュータ解決策に係る。本発明は、電子コマースの分野においてダイナミックプライシングシステムに関連した多数の技術的な問題を解決する。特に重要なことは、新しい乗物又は新しいコンピュータのような複雑な多変動要素商品の価格を交渉することである。これは、完全に新規な概念であり、即ち明白な解決策ではなく、マシン上で実行され、多数の技術的作用を有し、そして本開示が示すように、顕著な技術的問題を解決する。
【背景技術】
【０００２】
価格付け（プライシング）は、一般に、営利企業において最も重要な要素であると考えられる。これは、又、最適化することが最も困難でもある。経済学者は、固定価格の設定が販売の妨げになることを常に知っている。というのは、ある顧客は、安い価格を求めているが、他の顧客は、言い値より高く支払おうとすることがあるためである。その結果、固定価格は、テーブル上に金銭を置き去りにするか又は売れない在庫で終わるかのいずれかの危険性を高める。
【０００３】
インターネットの出現以来、ダイナミックプライシングシステムは、固定価格システムに代わって最も広範囲に研究されている。ダイナミックプライシングは、供給及び需要の最も僅かな変化にも価格が自由に応答するときに行われる。ダイナミックプライシングシステムの２つの一般的な例は、インターネットオークションと、電子証券取引である。オンラインオークションは、中古の個人的所有物、中古車、中古コンピュータ、又は余剰在庫一掃のような基本的商品の販売を容易にする。電子証券取引は、金、銀、金融証書、例えば、会社の株券やデリバティブのような基本的商品の販売を容易にする。これらの例は、複雑な変動要素エレメントが存在しないので、基本的な商品と考えられる。新しい乗物や新しいコンピュータは、販売プロセス中に分析されねばならない多数の変動要素コンポーネントと共に通常売り出されるので、複雑な多変動要素商品の例である。
【発明の開示】
【発明が解決しようとする課題】
【０００４】
既存のコンピュータ技術は、ダイナミックプライシングシステムと結合したときに多変動要素オーダー（再）コンフィギュレーションを整合することができない。異なるトレーダー又は入札者が、同じ入札プロセスにおいて競争しながら、モデルバリエーション及びオプション装置の自分自身のユニークなセットを「オンザフライ」でセレクト又はデセレクトするための実際的な方法がない。あるオークション運営者は、新規ブランドの多変動要素製品を売り出すように試みるが、バリエーションごとに個々別々のオークションプロセスでなければならない。このように細かく分けることの結果は、入札者の限定された共同資金を非常に多数の異なるオークション販売に振り分け、そしてこれを行うことにより、各個々の販売に対するサポートを徹底的に希釈化することである。これでは、絶望的に非効率的で、正確な自由市場価格付けを保証する多競争入札に依存するダイナミックプライシングの最も重要な効果を活用できない。
【課題を解決するための手段】
【０００５】
本発明（「ＤＰＸ」とも称される）は、当初、新しい乗物や新しいコンピュータに対する多アイテム複雑オーダーの「リアルタイム」ダイナミックプライシングトランザクションをコンピュータシステムで管理できないことを克服するために設計されたが、多変動要素特性をもつ何にでも等しい利益で適用することができる。このような製品は、通常、購入者が選択できる種々様々なオプション機能を伴って販売するようにオファーされる。平均的な乗物は、百程度の変動要素機能をもつことができる（図５を参照）。１０台の乗物のみに対する卸売りオーダーは、セールスプロセス中に全て分析されねばならない千以上の変動要素を含むことができる。生の無人の電子入札プロセス中にこのような膨大の数の変動要素をセレクト又はデセレクトすることは、従来、不可能であることが分かっていた。本発明は、処理時間を著しく節減し且つ問題を完全に解決する無限変動要素製品オプションセレクタ装置及び自動ダイナミックプライシング同期装置を包含する。
【発明の効果】
【０００６】
ＤＰＸは、多数の選択的機能をもつ新しい乗物や新しいコンピュータや他の何かの買い手及び売り手が、考えられるオプションを完全に「オンザフライ」でセレクト又はデセレクトし、そして現在市場価格で即座に取引するか、或いは単にオーダーを変更し、そしてそうすることにより、新たなオーダーを提出し、これを次いで永久的付け値／売り値マッチングエンジンへ保存するという能力を与える。オーダーは、即座にマッチングされてもよいし、或いは他の登録されたトレーダーにより再検討されて受け容れられてもよい。オーダーは、クライアントビューアにより選択されたプライオリティシーケンスの順に連続的にランク付けされる。このシステムの重要な商業的効果は、各応答者が、受け取った売り値に回答し又は逆入札するためにクライアントとして登録しなければならないので、クライアント数の自然の且つ指数関数的な成長を生じる傾向があることである。これらの特性は、従来技術と本発明との間の別の非常に重要な区別を示す。本発明は、オークション及び証券取引の著しい問題を解決するだけでなく、更に進展するものである。それ故、好ましい実施形態は、インターネット型オークションだけではない。これは、金融商業取引に近いが、かなり異なるものである。これは、ダイナミックプライシングシステムの能力及びユニバーサルなアプリケーションを利用するための非常に効率的で且つ完全に革命的なシステムを使用する。
【発明を実施するための最良の形態】
【０００７】
図１は、セールスリスティング手順及び次のように示された事象のシーケンスの一般的概略を示す図である。
【０００８】
（１）サイトアドミニストレータは、入手できる製品の最も基本的なバージョンを、オプション機能を含まない状態で、リストする。
【０００９】
（２）全てのオプション装置、推奨価格、及び全入手可能オプションの推定納入日付の全リストが追加される。
【００１０】
（３）各モデルバリエーション又は視覚機能が追加された後に製品がどのように見えるかを、異なる視角を含めて、示すデジタル写真を含むこともできる。
【００１１】
（４）売り手は、自動交渉プロトコルに対する即時の利益及び損失指数を計算するためにシステムが各トランザクションを監視できるように、全ての製品コスト情報を提供することもできる。この点において、製品は、基本的に、取引の準備ができる。
【００１２】
（５）トレーダーは、次いで、必要なコンポーネント、バリエーション及び量を選択することができる。
【００１３】
（６）色及びオプション機能についてトレーダーの各ユニークな選択を反映するように製品イメージが変化する。商品によって、それを見るための異なる角度及びマルチメディアプレゼンテーションを利用することもできる。
【００１４】
図２は、無限変動要素コンフィギュレーション装置を使用する新たなオーダーの最も簡単なテーブル図である。行及び列の数は無限に拡張できる。説明上、各列はアルファベットの文字で示され、そして各行は数字で示される。セルは、それらの交差ラベルで示される。例えば、列２と行３の交差するところのセルは、Ｂ３と識別される。この例示的オーダーは、典型的な新たな乗物のトランザクションを示す。これは、行４に示す１台の基本的乗物と、行５で選択された１つの付加的なオプションのみに対する最も簡単なオーダーを示す。（列Ｄに照合印が付けられたチェックボックスを参照されたい。）列「Ａ」に生成された新たなプルダウンメニューから各コンポーネントが追加されるにつれて、付加的な行が自動的に追加されて、次のアイテム選択の準備ができ、等々となって、やがて、全ての必要なコンポーネントが追加される。異なる製品仕様が個別の列においてグループ編成されて、詳細なオーダー完全性が維持される。この例では、１つの列（Ｃ）だけがアクチベートされている。スタート価格は、システムデータベースから自動的に保存される。通常は、製造者が販売価格を推奨している。プルダウンメニューからアイテムを選択して適用可能な列に照合印を付けるだけでオーダーを構成した後に、トレーダーは、量（Ｃ７）を入力し、次いで、それらの付け値又は売り値（Ｂ１６）を入力し、そして買い又は売り（Ｂ１７）をクリックして、図４に示す永久的な付け値／売り値マッチングエンジン及びダイナミックオーダーブックビューアへオーダーを保存することになる。
【００１５】
図３は、ＤＰＸの無限変動要素及びダイナミック製品コンフィギュレーション装置の全能力を示す。この例示的テーブルは、図２に示されたものより非常に複雑なオーダーを示す。多数のオプション機能が選択され（Ａ４：Ａ２４）、そして多数の製品列グループが生成される（Ｃ：Ｈ）。各オーダーは、ユニークなトラッキングコード（Ａ１）を有する。アイテム記述フィールドは、選択されたアイテムの全詳細仕様及び画像への「ｉｎｆｏ」リンクも含む。セルＢ４からＢ２４は、行Ａ３：Ａ２４に示された全アイテムに対する現在価格を示す。Ｃ４からＨ２４に示された列及び行は、各列グループにオプションアイテムを追加し又は削除するための選択ボックスを表わす。行２５は、各列グループに対して計算された全単位価格を示す。トレーダーは、各製品グループに対する必要な量を行２６に入力する。行２７は、各列選択に対する計算合計を示す。セルＢ２９は、全正味オーダー値を示す。セルＢ３０は、入札者の状態に基づき支払い可能な税金を自動的に示す。セルＢ３１は、税金を含む合計を示す。セルＢ３２は、トレーダーの状態に基づき販売時に支払うべき保証金を示す。セルＢ３３は、納入時に支払い可能な合計差引残高を示す。行２８は、選択された最も手間取るアイテムについて供給者の現在納入スケジュールに対してマッチングされた機能の選択に基づき製品納入のために推定される入手日付を示す。このセルは、列選択が変化するか又は供給者がデータベース納入スケジュールを更新するときに連続的に更新される。セルＡ３４は、入札者が、自分で選んだ表示通貨を選択するためのプルダウンメニューを含む。セルＢ３５は、メイン付け値／売り値入力フィールドである。金額が入力された後に、トレーダーは、買い又は売りボタン（Ｂ３６）をクリックして、オーダーを確認し、永久的な付け値／売り値マッチングエンジン及びダイナミックオーダーブックビューアへ保存する。重要：セルＢ３５において入札金額が編集されると、全コンポーネントカタログの各単一価格が正確に同じ変化率で完全に一体的に変化する。これは、トレーダーにより実際に選択されるかどうかに関わらず、クライアントに入手できる全てのアイテムに適用される。この重要なエンジニリアリング技術は、競争のダイナミックコマーストランザクション中に「オンザフライ」でいつでも無限変動要素製品再コンフィギュレーションを行って、オーダー全体にわたり価格比の絶対的完全性を常に維持できるようにする。これは、オンラインオークション又は他のダイナミックプライシング取引のようなダイナミックプライシングシステムにとって特に重要である。このようなシステムがないと、多変動要素アイテムのダイナミックプライシング及びオークションのユニバーサルアプリケーションは、単一の競争販売プロセスでは考えられない。これは、従来技術からの重要な進歩及び重要な区別である。
【００１６】
図４は、ダイナミックランキングオーダーブックビューアを伴う永久的な付け値／売り値マッチングエンジンを示す。新たなオーダーが保存されると、それらが、列に対するユーザ設定に基づいて増加順又は減少順にこのビューシステムに現われる。トレーダーは、マウスポインタを付け値／売り値価格の上でホバリングするだけでオーダーの一般的記述を見ることができる。オーダーは、クリックオープンすることもできるし、変更して新たなオーダーとして再保存することもできるし、削除する（所有者により）こともできるし、或いは登録されたトレーダーにより受け容れることもできる。マッチングエンジンは、厳格に又は厳密にマッチングする売り／買いオーダーを連続的にサーチし、そして予め構成されたコンタクト方法を使用してトレーダーに通知する。
【００１７】
図５は、１台の新しい自動車のみに対して利用できる変動要素機能の、贅沢ではない、典型的なリストを示す。この場合には、このような各乗物の販売プロセス中に９０以上の異なる変動要素を分析しなければならない。請求可能な全てのアイテムは、オークション又は他のダイナミックプライシングプロセス中に付け値又は売り値が変化するたびに互いに等しい比率で再価格付けされねばならない。これを１分間に何回も行うことができる。
【００１８】
本発明の最良の態様は、ここに述べる永久的な付け値／売り値マッチングエンジンを使用するユニバーサルｄコマース取引の形態である。ユニバーサルｄコマース取引の概念は、他の商品取引とは多数の重要な観点で相違する。最も重要なことは、慣習的な商品取引は、ダイナミック製品変動要素を管理するのに利用できる技術がないが、本発明は、いかなる数の変動要素も「オンザフライ」で取り扱いできることである。それ故、これは、乗物やコンピュータのような多変動要素商業的製品を取引するのに理想的に適している。
【００１９】
本発明の本質的なそして区別されるべき特徴は、次の通りである。
【００２０】
相互作用の列を自動的に追加して、異なる製品の多数のグループを同時にオーダーするのを許す無限に拡張可能な製品オーダーコンフィギュレーションシステム。多数の入手可能なコンポーネントオプションの各々がプルダウンメニューから選択された後に無限数の行を自動的に追加することもできる。
【００２１】
１つの小さなエントリーフィールド、即ち合計付け値又は売り値価格へのクライアントによる入力から、任意のサイズ順に、互いに完全に一斉に且つ正確に等しい比率で各々のアイテムの価格を再計算することのできるダイナミックプライシングシステム。又、オーダーが何ら変化したときにはオーダー全体を自動的に再計算もする。
【００２２】
保存された全てのオーダーを受け取る永久的な付け値／売り値マッチングエンジン及び電子オーダーブックシステム。これは、次いで、クライアントにより選択されたシーケンスでオーダーをランク付けして表示する。このシステムは、売り／買いオーダーを自動的にマッチングさせ、又は厳密なマッチングに対してトレーダーに通知することができる。又、ビューアは、マウスポインタを価格の上にホバリングするだけでオーダーの一般的なコンテンツをポップアップ吹き出しにおいて見ることもできる。クライアントは、電子オーダーブックから任意のオーダーを選択して完全な詳細ビューにおいて開くことができる。次いで、それらは、購入又は販売を確認することによりオーダーを受け容れることもできるし、オーダーを変更し、別の新しいオーダーを生成してそれをオーダーブックに保存することもできる。又、トレーダーは、別のトレーダーにより受け容れられる前に自分のオーダーをいつでも削除することができる。
【００２３】
オーダーマッチング要求をサーチして見出すシステム。
【００２４】
又、好ましいＤＰＸ実施形態は、次のような操作技術のユニークな組み合せも使用する。
【００２５】
売主に代わって買い手からの支払いを処理するユニークなシステム。これは、各トランザクションに対して完全に一体化され且つ保証された＊エスクローサービスを提供し、従って、詐欺的行為又は債務の不払いのおそれを排除する。付け値を入れる前に、買い手は、先ず、推定取引要件の所定のパーセンテージに等しいエスクロー保証金口座への電子資金移動又はＥＦＴ支払いを許可しなければならない。オーダーが受け容れられた後に、必要な手付金が買い手の保証金口座からエスクロートランザクション口座へ自動的に転送される。次いで、クローズ命令が引き出されて確認される。支払いは、買い手及び売り手の両債務の中立エスクロー保留完了に保持され、次いで、売り手の口座へ転送される。＊ここでの開示の目的で、「エスクロー」という語は、一方の個人が、資産を別の個人に売却、移管、負担又は賃貸する目的で、書面の証書、金銭、不動産又は動産に対する所有権の証拠、或いは他の貴重品を第三者に預け、特定の事象が起こるか又は既定の条件が遂行されるときまでこの第三者がそれを保持し、そのときに、この第三者により、譲受人、譲渡人、受約者、契約者、債権者、債務者、受託者、寄託者、又はエージェント、或いはこれらのいずれかの従業員にそれが渡されるトランザクションとして定義される。
【００２６】
又、ＤＰＸは、適用可能な商品において「コール」又は「プット」オプションの取引を容易にすることもできる。承認された買い手は、それらの手付金をオプションプレミアム支払いに変換することができる。次いで、オプション所持者は、オプションを行使し、オプションプレミアムの残りの価値についてクレジット状態で商品の納入の支払いをして取得するか、又はオプションを誰か他の人に販売及び／又は譲渡するか、或いは更なる債務を伴わずにオプションが満了になるのを許すような長い期間を有してもよい。
【００２７】
発明の態様
本発明者は、永久的付け値／売り値マッチングエンジンを含むユニバーサルなｄコマース取引は、新ブランド商品の主流の電子コマース及び販売のための遥かに実際的で且つ効率の良いシステムであると考える。しかしながら、ＤＰＸ技術を使用して、入札プロセス中に変動要素を「オンザフライ」で交渉する問題を解決する限り、インターネットオークション及び他のダイナミックプライシングシステムにより新しい商品を非常に有効に販売することもできる。
【００２８】
従って、無限変動要素の自由市場取引システムを配備して、電子ネットワークを経て通信するあらゆる形式の買い手及び売り手にサービスするための方法及びシステムが開示された。本発明は、特定の実施形態を参照して説明したが、当業者であれば、本発明の広い精神及び範囲から逸脱せずにこの実施形態に対して種々の変更や増加や別の適用が実施できることが明らかであろう。
【図面の簡単な説明】
【００２９】
【図１】セールスリスティング手順及び事象のシーケンスの一般的概略を示す図である。
【図２】無限変動要素コンフィギュレーション装置を使用する新たなオーダーの最も簡単なテーブル図である。
【図３】ＤＰＸの無限変動要素及びダイナミック製品コンフィギュレーション装置の全能力を示す図である。
【図４】ダイナミックランキングオーダーブックビューアを伴う永久的な付け値／売り値マッチングエンジンを示す図である。
【図５】１台の新しい自動車のみに対して利用できる変動要素機能の、贅沢ではない、典型的なリストを示す図である。
【図１】
2009514044.tif 000002
【図２】
2009514044.tif 000003
【図３】
2009514044.tif 000004
【図４】
2009514044.tif 000005
2009514044.tif 000006
【手続補正書】
【提出日】平成19年2月8日(2007.2.8)
【手続補正１】
【補正対象書類名】特許請求の範囲
【補正対象項目名】全文
【補正方法】変更
【補正の内容】
【特許請求の範囲】
【請求項１】
通信ネットワークを介して複数の遠隔のユーザ端末と接続可能な中央サーバを含む、多変動要素を有する複合したアイテムをトレーディングするための動的デジタルコマース取引システムであって、前記中央サーバは、
前記複数のユーザ端末に、少なくとも１つの多変動要素を有する複合したアイテムに対する付け値又は売り値の形態で、ユーザのオーダーを構成して保存するためのインタラクティブなユーザインターフェースを提供するように構成されたアイテムオーダー構成手段であって、前記ユーザインターフェースは、前記少なくとも１つのアイテムのための前記複数の変動要素のそれぞれを、前記少なくとも１つのアイテムの価格及びそれの複数の変動要素のそれぞれの価格と共にリストし、前記アイテムの所望の変動要素をユーザが選択するための手段を提供し、前記オーダーの全体の価格を決定して提示するように構成されたアイテムオーダー構成手段と、
前記複数の変動要素のそれぞれの前記価格の間の価格の比率を決定するように構成された動的査定エンジンと、
前記アイテムオーダー構成手段から、保存されたオーダーを受信する付け値／売り値マッチングエンジンであって、前記オーダーをオーダーブックに加え、前記オーダーブック内で前記オーダーをランク付けしてリストし、同様のアイテムに対する付け値及び売り値を一緒に含む複数のオーダーをマッチングさせるように構成された前記付け値／売り値マッチングエンジンと、
前記ランク付けされたオーダーブック中でマッチングしたオーダーの詳細をそれぞれのユーザに表示するために遠隔端末に送信するように構成された動的オーダーブックビューア手段と、を含み、
前記動的査定エンジンは、前記オーダーの全体の価格を変更させるユーザ端末での入力に応答して、前記価格の比率が一定となるように前記全体の価格の前記変更に従ってそれぞれの変動要素をスケーリングすることによって、前記複合したアイテムのそれぞれの変動要素の前記価格を動的に再計算し、前記オーダーの変更された全体の価格及び前記再計算された変動要素の価格を表示するように構成されていることを特徴とする動的デジタルコマース取引システム。
【請求項２】
請求項１に記載の動的デジタルコマース取引システムにおいて、前記アイテムオーダー構成手段は、前記複数のターミナルのそれぞれに、複数の異なる多変動要素を有する複合したアイテムに対する付け値又は売り値の形態で、ユーザのオーダーを構成して保存するためのインタラクティブなユーザインターフェースを提供するように構成されていることを特徴とする動的デジタルコマース取引システム。
【請求項３】
請求項１又は２に記載の動的デジタルコマース取引システムにおいて、前記アイテムオーダー構成手段は、タブフォーマット（Ａ１−Ｈ３６）でそれぞれのアイテム及びそれの変動要素を表示するユーザインターフェースを提供を提供するように構成されていることを特徴とする動的デジタルコマース取引システム。
【請求項４】
請求項１から３のいずれか１項に記載の動的デジタルコマース取引システムにおいて、前記アイテムオーダー構成手段は、特定のアイテムに対して選択されたオプションのすべての価格の小計を計算して表示する（Ｃ２５−Ｈ２５）ようなユーザインターフェースをユーザに提供するように構成されていることを特徴とする動的デジタルコマース取引システム。
【請求項５】
請求項１から４のいずれか１項に記載の動的デジタルコマース取引システムにおいて、前記アイテムオーダー構成手段は、特定のセットの変動要素を有するそれぞれの複合したアイテムの個数を入力して表示するための手段（Ｃ２６−Ｈ２６）を前記ユーザインターフェース内に提供するように構成されていることを特徴とする動的デジタルコマース取引システム。
【請求項６】
請求項１から５のいずれか１項に記載の動的デジタルコマース取引システムにおいて、前記アイテムオーダー構成手段は、前記付け値／売り値マッチングエンジンへ前記オーダーを付け値又は売り値として指定するための手段（Ｂ３６）を前記ユーザインターフェース内に提供するように構成されていることを特徴とする動的デジタルコマース取引システム。
【請求項７】
請求項１から６のいずれか１項に記載の動的デジタルコマース取引システムにおいて、前記アイテムオーダー構成手段は、前記オーダーの前記全体の価格を編集するための手段（Ｂ３５）を前記ユーザインターフェース内に提供するように構成されていることを特徴とする動的デジタルコマース取引システム。
【請求項８】
請求項１から７のいずれか１項に記載の動的デジタルコマース取引システムにおいて、前記アイテムオーダー構成手段は、それぞれの保存されたオーダーにユニークな追跡コード（Ａ１）を割り当てるように構成されていることを特徴とする動的デジタルコマース取引システム。
【請求項９】
請求項１から８のいずれか１項に記載の動的デジタルコマース取引システムにおいて、前記アイテムオーダー構成手段は、選択されたアイテムの完全な詳細な仕様と画像への情報リンクを提供するように構成されていることを特徴とする動的デジタルコマース取引システム。
【請求項１０】
請求項１から９のいずれか１項に記載の動的デジタルコマース取引システムにおいて、前記アイテムオーダー構成手段は、前記オーダーにおけるアイテムの個数、前記オーダーにおけるアイテムのタイプ、及び前記オーダーにおけるそれぞれのタイプの変動要素を含む、前記オーダーの構成を変更することを可能とする動的アイテムコンポーネントセレクタ及び除去装置を含むことを特徴とする動的デジタルコマース取引システム。
【請求項１１】
請求項１０に記載の動的デジタルコマース取引システムにおいて、前記アイテムオーダー構成手段は、前記動的アイテムコンポーネントセレクタ及び除去装置は、前記ユーザのオーダーに対してアイテムのタイプ又はオプションが追加されたり除去されたときに、前記インタラクティブなユーザインターフェースを拡大又は縮小するように構成されていることを特徴とする動的デジタルコマース取引システム。
【請求項１２】
請求項１０又は１１に記載の動的デジタルコマース取引システムにおいて、前記アイテムオーダー構成手段は、前記オーダーになされた変更を考慮して前記オーダーの前記全体の価格を再計算するように構成されていることを特徴とする動的デジタルコマース取引システム。
【請求項１３】
請求項１から１２のいずれか１項に記載の動的デジタルコマース取引システムにおいて、前記動的オーダーブックビューア手段は、それぞれのユーザ端末に、マッチングされたオーダーの前記ランク付けされたリストを表示するように構成されていることを特徴とする動的デジタルコマース取引システム。
【請求項１４】
請求項１から１３のいずれか１項に記載の動的デジタルコマース取引システムにおいて、前記動的オーダーブックビューア手段は、付け値のオーダーを含む部分と、売り値のオーダーを含む他の部分の２つの部分で前記リストを表示するように構成されていることを特徴とする動的デジタルコマース取引システム。
【請求項１５】
請求項１から１４のいずれか１項に記載の動的デジタルコマース取引システムにおいて、前記動的オーダーブックビューア手段は、前記リスト中の任意のオーダーを前記ユーザが選択でき、前記遠隔のユーザ端末上に前記オーダーの詳細を表示するように構成されていることを特徴とする動的デジタルコマース取引システム。
【請求項１６】
請求項１５に記載の動的デジタルコマース取引システムにおいて、前記動的オーダーブックビューア手段及び前記アイテムオーダー構成手段は、元のオーダーを変えずに、選択したオーダーの前記詳細な表示を前記ユーザが変更して保存することができるように構成されていることを特徴とする動的デジタルコマース取引システム。
【請求項１７】
請求項１から１６のいずれか１項に記載の動的デジタルコマース取引システムにおいて、前記動的オーダーブックビューア手段及び前記アイテムオーダー構成手段は、前記オーダーを受け入れる前に、自己生成して保存されたオーダーを前記ユーザが削除できるように構成されていることを特徴とする動的デジタルコマース取引システム。
【請求項１８】
請求項１から１７のいずれか１項に記載の動的デジタルコマース取引システムにおいて、前記付け値／売り値マッチングエンジン及び前記動的オーダーブックビューア手段は、ユーザの要求に応答して、前記オーダーブック中でユーザの要求にマッチングするオーダーをサーチするように構成されているサーチエンジンをさらに含むことを特徴とする動的デジタルコマース取引システム。
【請求項１９】
請求項１から１８のいずれか１項に記載の動的デジタルコマース取引システムにおいて、それぞれの複合したアイテムの変動要素は前記複合したアイテムのコンポーネントを含み、前記動的オーダーブックビューア手段は、前記アイテムの前記選択されたコンポーネントの最新の利用可能日に基づいて計算された、複合したアイテムの完成日を表示するように構成されていることを特徴とする動的デジタルコマース取引システム。
【請求項２０】
請求項１から１９のいずれか１項に記載の動的デジタルコマース取引システムにおいて、前記動的オーダーブックビューア手段は、任意の価格の上にマウスポインタを移動させることによって起動するポップアップバブルで、任意のオーダーの一般的なコンテンツをユーザが見ることができるように構成されていることを特徴とする動的デジタルコマース取引システム。
【請求項２１】
請求項１から２０のいずれか１項に記載の動的デジタルコマース取引システムにおいて、前記少なくとも１つの複合したアイテムに関するオプションを取得、保持、又は取引するための「コール」又は「プット」オプションのための手段であって、特定の条件に従って特定の日に、あるいはその前に、前記少なくとも１つの複合したアイテムの取引を完了するための権利を生成するように構成されている「コール」又は「プット」オプションのための手段をさらに含むことを特徴とする動的デジタルコマース取引システム。
【請求項２２】
多変動要素を有する複合したアイテムを、通信ネットワークを介して複数の遠隔のユーザ端末と接続可能な中央サーバを含む動的デジタルコマース取引システムを通じてトレーディングするための方法であって、
前記複数のユーザ端末に、少なくとも１つの多変動要素を有する複合したアイテムに対する付け値又は売り値の形態で、ユーザのオーダーを構成して保存するためのインタラクティブなユーザインターフェースを提供するステップであって、前記ユーザインターフェースは、
１）前記少なくとも１つのアイテムのための前記複数の変動要素のそれぞれを、前記少なくとも１つのアイテムの価格及びそれの複数の変動要素のそれぞれの価格と共にリストし、
２）前記アイテムの所望の変動要素をユーザが選択することを可能とし、
３）前記オーダーの全体の価格を決定して提示する、
ようなユーザインターフェースであるステップと、
前記複数の変動要素のそれぞれの前記元の価格の間の価格の比率を決定するステップと、
前記ユーザインターフェースから保存されたオーダーを受信するステップと、
前記オーダーをオーダーブックに加えるステップと、
前記オーダーブック内で前記オーダーをランク付けしてリストするステップと、
同様のアイテムに対する付け値及び売り値を一緒に含む複数のオーダーをマッチングさせるステップと、
前記ランク付けされたオーダーブック中でマッチングしたオーダーの詳細をそれぞれのユーザに表示するために送信するステップと、
前記オーダーの全体の価格を変更させるユーザ端末での入力に応答して、前記価格の比率が一定となるように前記全体の価格の前記変更に従ってそれぞれの変動要素をスケーリングし、前記複合したアイテムのそれぞれの変動要素の前記価格を動的に再計算するステップと、
前記オーダーの変更された全体の価格及び前記再計算された変動要素の価格を表示するステップと、を有する方法。